(57)【要約】不連続な送信（ＤＴＸ）フレームを検出するためのシステムと方法。発明の方法は複数のフレームで送られるデータを受信し（６２）、各フレームを分類し（６３）、受信されたデータの複数の連続したフレームの分類を分析して、それに関して距離関数を提供し、距離関数に対応してフレームが不連続なフレームであるかどうか決定する（６６） ステップを含んでいる。例証実施例において、分類のステップは巡回冗長検査（ＣＲＣ）誤り検査プロトコルを使用してフレームを誤りチェックするステップを含む。受信されたフレームは良いフレーム（Ｇ）、消去フレーム（Ｅ）、または不連続なフレーム（Ｄ）に分類される。数値はそれの分類に基づくそれぞれのフレームに割当てられる。次に、フレームが出力Ｙｎ＝Ｙｎ−１＋Ｘｎを提供するためにフィルタにかけられ、ここに‘ｎ’はフレーム番号であり、Ｙｎ は与えられたフレームｎのフィルタ出力であり、Ｙｎ−１は前のフレームのフィルタ出力であり、Ｘｎ は入力フレームの流れである。閾値は不連続なフレームの検出を容易にするように出力Ｙｎについて設定される。すなわち、不連続な送信フレームの検出は、フレームが消去として分類され、フィルタ出力が閾値を超えるとき指示される。不連続なフレームの検出のときに、フレームの分類が‘消去’ から‘不連続’に変更される。不適当に分類された消去フレームを再分類することにより、モバイル受信器はフレームの再送信の要求または送信パワーレベルの変更を禁止される。その結果、ネットワークスループットと容量が最適化され、システムパワーが保存される。
2004503130.tif 000002
【特許請求の範囲】
【請求項１】
複数のフレームで送信されたデータを受信する第１の手段と、
各フレームを分類する第２の手段と、
受信されたデータの複数の連続したフレームの分類を分析して、それに関する距離関数を提供する第３の手段と、
距離関数に応答してフレームが不連続に送信されたフレームであるかどうかを決定する第４の手段とを含む、
不連続に送信されたフレームを検出するためのシステム。
【請求項２】
第２の手段がフレームを誤りチェックする手段を含む請求項１のシステム。
【請求項３】
誤りチェックする手段が巡回冗長検査を実行する手段を含む請求項２のシステム。
【請求項４】
第２の手段が良いフレーム、消去フレーム、または不連続なフレームとしてフレームを分類する手段を含む請求項３のシステム。
【請求項５】
第３の手段がフィルタを含む請求項４のシステム。
【請求項６】
分類に基づいて各フレームに数値を割当てる手段をさらに含む請求５のシステム。
【請求項７】
フィルタがＹｎ＝Ｙｎ−１＋Ｘｎの形であり、ここに‘ｎ’はフレーム番号であり、Ｙｎは与えられたフレームｎのフィルタ出力であり、Ｙｎ−１は前のフレームのフィルタ出力であり、Ｘｎは入力フレームの流れである請求項６のシステム。
【請求項８】
フィルタの出力Ｙｎの閾値を設定する手段をさらに含む請求項７のシステム。
【請求項９】
フィルタ出力が閾値を超えるとき、不連続な送信フレームの検出の指示を出力する手段をさらに含む請求項８のシステム。
【請求項１０】
第４の手段に対応してフレームを再分類する手段をさらに含む請求項９のシステム。
【請求項１１】
フレームを再分類する手段は、フレームが消去として分類されフィルタの出力が閾値を超えるならば、フレーム分類を不連続に変更する手段を含む請求項１０のシステム。
【請求項１２】
少なくともいくつかのフレームが不連続であるデータのフレームを送信するように適合された送信器と、
送信されたフレームを受信し、分類するように適合された受信器と、
プロセッサと、
受信されたデータの複数の連続したフレームの分類を分析し、それに関して距離関数を提供し、距離関数に対応してフレームが不連続に送信されたフレームであるかどうかを決定するためのプロセッサで実行するソフトウェアとを含む、
通信システム。
【請求項１３】
システムが誤りチェックメカニズムを含む請求項１２のシステム。
【請求項１４】
誤りチェックメカニズムが巡回冗長検査を実行するための手段を含む請求項１３のシステム。
【請求項１５】
システムが良いフレーム、消去フレーム、または不連続なフレームとしてフレームを分類する手段を含む請求項１４のシステム。
【請求項１６】
ソフトウェアがフィルタを含む請求項１５のシステム。
【請求項１７】
ソフトウェアがその分類に基づいて各フレームに数値を割当てる手段をさらに含む請求項１６のシステム。
【請求項１８】
フィルタがＹｎ＝Ｙｎ−１＋Ｘｎの形であり、ここに‘ｎ’はフレーム番号であり、Ｙｎは与えられたフレームｎのフィルタ出力であり、Ｙｎ−１は前のフレームのフィルタ出力であり、Ｘｎは入力フレームの流れである請求項１７のシステム。
【請求項１９】
フィルタの出力Ｙｎの閾値を設定する手段をさらに含む請求項１８のシステム。
【請求項２０】
フィルタ出力が閾値を超えるとき、不連続な送信フレームの検出の指示を出力する手段をさらに含む請求項１９のシステム。
【請求項２１】
第４の手段に対応してフレームを再分類する手段をさらに含む請求項２０のシステム。
【請求項２２】
フレームを再分類する手段は、フレームが消去として分類されフィルタの出力が閾値を超えるならば、フレームの分類を不連続に変更する手段を含む請求項２１のシステム。
【請求項２３】
複数のフレームで送信されたデータを受信し、
各フレームを分類し、
受信されたデータの複数の連続したフレームの分類を分析して、それに関して距離関数を提供し、
距離関数に対応してフレームが不連続なフレームであるかどうか決定するステップを含む、
不連続な送信フレームを検出するための方法。
【請求項２４】
分類のステップがフレームを誤りチェックするステップを含む請求項２３の方法。
【請求項２５】
誤りチェックのステップが巡回冗長検査を実行するステップを含む請求項２４の方法。
【請求項２６】
分類のステップが良いフレーム、消去フレーム、または不連続なフレームとしてフレームを分類するステップを含む請求項２５の方法。
【請求項２７】
分類に基づいて各フレームに数値を割当てるステップをさらに含む請求項２６の方法。
【請求項２８】
分類のステップがフィルタ出力Ｙｎ＝Ｙｎ−１＋Ｘｎを計算するステップを含み、ここに‘ｎ’はフレーム番号であり、Ｙｎは与えられたフレームｎのフィルタ出力であり、Ｙｎ−１は前のフレームのフィルタ出力であり、Ｘｎは入力フレームの流れである請求項２７の方法。
【請求項２９】
出力Ｙｎのために閾値を設定するステップをさらに含む請求項２８の方法。
【請求項３０】
フィルタ出力が閾値を超えるとき、不連続な送信フレームの検出の指示を出力するステップをさらに含む請求項２９の方法。
【請求項３１】
第４の手段に応答してフレームを再分類するステップをさらに含む請求項３０の方法。
【請求項３２】
フレームを再分類するステップは、フレームが消去として分類されフィルタの出力が閾値を超えたならば、フレーム分類を不連続に変更するステップを含む請求項３１の方法。
【発明の詳細な説明】
【０００１】
発明の背景
発明の分野
この出願は２０００年６月２９日に申請された米国特許出願Ｎｏ．６０／２１５，３７７に優先権を要求する。この発明は通信システムに関する。特に本発明は通信システムにおけるＤＴＸフレームを検出するためのシステムと方法に関連する。
【０００２】
関連技術の記述
セルラ電気通信システムはモバイル電話の多くのトランシーバーと基地局によって特徴付けられる。各トランシーバーはチャンネル上を通信する送信器と受信器を含んでいる。
【０００３】
チャンネルの情報搬送容量を増加させる１つのアプローチは信号対干渉比（ＳＩＲ）を高めることである。ＳＩＲは受信された信号の干渉密度に対する受信情報ビットあたりのエネルギーの比率としてしばしば表される。システム容量を増加させるために、トランシーバーは低い信号対干渉比（ＳＩＲｓ）で作動する。代替手段として、チャンネルのＳＩＲ が増加されることができる。ＳＩＲを増加させるために伝送される信号のパワーが受信トランシーバーからの信号によって増加される。しかしながら、伝送パワーの増加は他のモバイルへの干渉の増加を導き、その結果、チャンネルの容量を制限する。さらに、伝送パワーレベルの増加はパワー消費を増加し（特にバッテリー附勢されたモバイルユニットで問題が多い）、ネットワークスループットを減少させる。従って、パワー消費、スループットおよびシステム容量の考慮と信号対干渉の考慮のバランスをとる最適パワーレベルでシステムを運転することが一般に望ましい。
【０００４】
技術に熟練した者によって理解されるように、データは‘フレーム’と呼ばれる間隔で送信される。新しいＩＳ２０００セルラ規格にしたがって、基地局はより多くのチャンネルをモバイルに割当て、補足のチャンネルで送信することができる。しかしながら、基地局が送信するデータを持たないなら、新しい規格の下では、チャンネルを逆割当てする代わりに基地局は信号利得を適切に減少させる。これは‘ＤＴＸ’モードと呼ばれ、このモードで送信されるフレームは‘ＤＴＸ’フレームである。
【０００５】
あいにく、最適送信パワーレベルでシステムを運転する努力はＤＴＸフレームの送信によって妨害される。受信ユニットはフレームのデータビットを復調し、フレーム上のパワーを監視し、フレームの品質をチェックし、ＣＲＣ（巡回冗長検査）誤りチェックを実行する。ＣＲＣチェックが失敗するならば、ビット誤りは受信器がフレームを消去し、かつ送信パワーを増加するように送信器に信号を送り、そしてフレームを再送することが想定される。
【０００６】
従って、受信器がＤＴＸフレームを受信するとき、それはフレーム、雑音と干渉のフレームを解読することを試みる。これは、受信器、即ちモバイルユニットが複数の消去されたフレーム信号を基地局に送ることを引き起こす。応答において、基地局はモバイルのためにパワー設定点を増加させ、それはパワー消費を増加させ、一方ネットワークスループットと容量を減少させる。
【０００７】
消去のレート決定と検出のための従来のシステムと方法は、各フレームを個別に観察し、これまで、限られた性能を提供した。従って、基地局とモバイルユニットとの間のデータの伝送において、最適な送信パワーレベルを達成するために、ＤＴＸフレームと消去に適した高いビット誤り率を有するフレームとを区別するシステムまたは方法について、必要性が技術において残っている。
【０００８】
発明の概要
技術の必要性は、不連続な送信（ＤＴＸ）フレームを検出するために本発明のシステムと方法によって処理される。発明の方法は複数のフレームで送信されたデータを受信し；各フレームを分類し；受信されたデータの複数の連続したフレームの分類を分析し、それに関して距離関数（ｍｅｔｒｉｃ）を提供し；フレームが不連続なフレームであるかどうかを距離関数に応答して決定するステップを含む。
【０００９】
例証する実施例では、分類するステップは巡回冗長検査（ＣＲＣ）誤りチェックプロトコルを使用してフレームを誤りチェックするステップを含んでいる。受信されたフレームは良いフレーム（Ｇ）、消去フレーム（Ｅ）、または不連続なフレーム（Ｄ）として分類される。それの分類に基づいて数値が各フレームに割当てられる。次に、フレームは出力Ｙｎ＝Ｙｎ−１＋Ｘｎを供給するためフィルタにかけられ、ここに‘ｎ’はフレーム番号であり、Ｙｎは与えられたフレームｎのフィルタ出力であり、Ｙｎ−１は前のフレームのためのフィルタ出力であり、Ｘｎは入力フレームの流れである。不連続なフレームの検出を容易にするように閾値が出力Ｙｎについて設定される。すなわち、フレームが‘消去’として分類されて、フィルタ出力が閾値を超えるとき、不連続な送信フレームの検出が指示される。不連続なフレームの検出に際し、フレームの分類は‘消去’から‘不連続’に変化される。誤って分類された消去フレームを分類し直すことにより、モバイル受信器はフレームの再送信要求または送信パワーレベルの変化を禁止される。その結果、ネットワークスループットと容量が最適化され、システムパワーが保存される。
【００１０】
発明の記述
例証実施例と例示的応用は、本発明の有利な教示を明らかにするために付随の図面を参照して説明されるだろう。
【００１１】
上述のように、ＳＣＨ（補足のコードチャンネル）とＤＣＣＨ（専用制御チャンネル）のためのＤＴＸ（不連続な送信）モードはＩＳ２０００規格で導入された共通の特徴である。規格によると、基地局（ＢＳ）はその送信器パワーを２つの予め定義されたレベルの間で切り換えることができる（その１つは全く送信されるパワーがないことに対応するゼロレベルであるかもしれない）。これはその特定のＳＣＨかＤＣＣＨのために受信器の復調器とデコーダに雑音＋干渉のみの入力をもたらすだろう。ＭＳ（モバイル局）は適切にＤＴＸモードの始まりを決定して、そのような送信フレームがないものを適格とすることができるようにすべきである。
【００１２】
ＭＳ側の１つの問題はこれらのＤＴＸフレームがＣＲＣ（巡回冗長コード）テストに失敗するか、フレーム品質指示をゼロに等しく戻すということである。また、正常な（非ＤＴＸ）フレームが送信されて、ビット誤りで受信されるなら、ＣＲＣはゼロになるだろう。通常のＭＳの正規なＲＤＡ（レート決定アルゴリズム）は、典型的にビット誤りを有する連続して送信されたフレームを効率的に選択して、消去することができる。したがって、ソフトウェア（ＳＷ）で実行されるＲＤＡはハードウェア（ＨＷ）ステータスレジスタ（フレーム復調とステータスに専用されたデコーダと復調器レジスタ） を処理して、レート決定か消去を出力することができる。しかしながら、通常のＲＤＡはＤＴＸフレーム検出のために最適化されてなく、特にそれらが連続した送信消去（ビット誤りを有する連続した送信フレーム）およびＤＴＸフレーム間を区別することに失敗する際に、従来のＲＤＡは最適に働かない。
【００１３】
ＭＳが消去（または、悪いフレーム）としてこれらのフレームを報告して、順方向リンク（ＦＬ）上により多くのパワーを要求するので、消去としてのＤＴＸフレームのどんな不正確な分類もパワー制御の問題を引き起こすだろう。ＤＴＸフレームに関するいくつかの合理的な決定をするためにいくつかの方法を使用することができる。しかしながら、これらのアプローチが完全に効果的というほどではなかったので、本教示は技術において必要性を扱うために提供される。
【００１４】
図１は本発明の教示を取り入れている受信器の簡易化されたブロック図である。受信器１０はフィンガーフロントエンド疑似雑音（ｐｎ）を含むＭＳＭ（モバイル局のモデム） チップレベル処理ステージ１２を含む。ｐｎコードが各フィンガーから取り除かれた後に、受信された信号はディジタル信号プロセッサ（ＤＳＰ）として実施される記号レベルプロセッサ１４によって処理される。ＤＳＰ １４は記号をデータビットに変換する。データビットはデコーダ１６へ出力され、それは示されたＣＤＭＡ（符号分割多元接続） システムでスピーチ（例えば、ビタビ）またはデータ解読を実行する。また、ＤＳＰ １４は、以下により十分に説明される方法でＤＴＸ フレームを確認するために使用されるフレームタイプ距離関数を計算する。距離関数はフレーム毎に計算されて、マイクロプロセッサ１８へ出力される。本発明は最も良いモードでＤＴＸ 距離関数を計算するために使用される方法に制限されないが、以下の方法が使用される。
問題の定式化：
検出問題は、以下のようにＣＲＣに失敗するフレームについて２進の仮説テストとしてモデル化される：
Ｈ０：受信されたフレームはゼロフレームである
Ｈ１：受信されたフレームは送信されたフレームである
決定規則は距離関数Ｍと閾値Ｔを比較することであり、Ｍ＞Ｔ；そうでなければゼロレームであるなら、受信されたフレームが送信されたフレームであると決定される。
【００１５】
検出確率と間違い警報確率がそれぞれＰｒｏｂ（Ｍ＞Ｔ｜Ｈ１は正しい）、およびＰｒｏｂ（Ｍ＞Ｔ｜Ｈ０は正しい）と定義される。
【００１６】
ＤＴＸ距離関数の分析
デコーダ（１６）から得られる再コード化エネルギー距離関数は以下の通り計算される：
【数１】
2004503130.tif 000003
【００１７】
ここに：ｓｉはデコーダにより受信されたソフト決定であり、ｒｉは畳み込み符号の再コード化された記号またはターボコードの系統的な記号であり、Ｎはエネルギー距離関数を計算するために使用される記号の総数である。
【００１８】
エネルギー距離関数がＥｂ／ＩｏおよびＥＣＰ／Ｉｏの以下の関係を有することを示すことができる：
【数２】
2004503130.tif 000004
【００１９】
同様に、復調器により計算されるエネルギー距離関数はまたＥｂ／ＩｏおよびＥＣＰ／Ｉｏの同じ関係を有し、即ち：
【数３】
2004503130.tif 000005
【００２０】
明らかに、エネルギー距離関数は、それがパイロット強度および幾何学的に敏感であるので、良い距離関数ではない。パイロット強度の依存性を取り除くために、我々はＦＰＣ（速いパワー制御）により提供されるパイロット強度推定値ＥｃｐＩｏによりエネルギー距離関数を分割することができ、即ち：
【数４】
2004503130.tif 000006
【００２１】
しかし、ＥｂＩｏはまだ幾何学的に敏感である。
【００２２】
ＳＣＨがＥｂ／Ｎｔをある目標に到達するように制御しようとするＦＰＣにより良くパワー制御されるなら、Ｅｂ／Ｎｔ推定値はＳＣＨ ＤＴＸのための良い候補であるように思える。ＥｂＮｔによりＥｂ／Ｎｔ推定値を使用する距離関数を表すとしよう。それはＦＰＣにより提供されるｗｅｉｇｈｔｅｄ＿ＮｔＩｏによりエネルギー距離関数を分割することにより計算されることができ、即ち：
【数５】
2004503130.tif 000007
【００２３】
ここに、ｗｅｉｇｈｔｅｄ＿ＮｔＩｏ ∝Ｎｔ／Ｉｏ・ＥＣＰ／Ｉｏである。
【００２４】
実行例：
図２−４は、ＳＣＨとＤＣＣＨのためにＤＴＸ検出を実行するデータ経路を示す。図２はＤＴＸフレームを確認するための例証方法に従ってｉｑ＿ａｃｃ＿ｆｒａｍｅｓを計算するための例証配列を示す簡易化された論理図である。
【００２５】
図３はＤＴＸフレームを確認するための例証方法に従ってＳＣＨ＿ｗｅｉｇｈｔｅｄ＿Ｎｔ＿Ｉｏ＿ｆｒａｍｅｓを計算するための例証配列を示す簡易化された論理図である。
【００２６】
図４はＤＴＸフレームを確認するための例証方法に従ってＦＣＨ＿ｗｅｉｇｈｔｅｄ＿Ｎｔ＿Ｉｏ＿ｆｒａｍｅを計算するための例証配列を示す簡易化された論理図である。
【００２７】
ソフトウェアの変更：
図５は本発明の方法によるマイクロプロセッサ読み取りタイムチャートである。図６は本教示によるゼロフレームを検出する方法を例証する図である。図５では、ＰＣ＿ｂｉｔ＿ａｃｃは、それがＰＣ（パワー制御）ビットにのみ累算しているので、現フレームの最後のＰＣＧ（パワー制御グループ： １つのフレーム＝１６ＰＣＧｓ）の直後に利用可能であることに注意すべきである。しかしながら、最後のＰＣＧの記号エネルギーが現フレームの終わりの前のＱＤＳＰに利用可能にならないので、ＳＣＨのためのｉｑ＿ａｃｃ＿ｆｒａｍｅは次のフレームの最初のＰＣＧまで遅らされる。マイクロプロセッサ１８がＤＳＰ １４からこれらの値、即ちｉｑ＿ａｃｃ＿ｆｒａｍｅ、ＳＣＨ＿ｗｅｉｇｈｔｅｄ＿Ｎｔ＿Ｉｏ＿ｆｒａｍｅ、ＰＣ＿ｂｉｔ＿ａｃｃおよびＦＣＨ＿ｗｅｉｇｈｔｅｄ＿Ｎｔ＿Ｉｏ＿ｆｒａｍｅを読んだ後に、それはゼロフレームを検出するために図６に示される計算を実行するだろう。
【００２８】
したがって、図１を参照すると、マイクロプロセッサ１８がデコーダ１６により提供されたフレーム情報およびＤＳＰ １４により提供されたＤＴＸ距離関数を処理し、フレームタイプに関して最終的な決定をし、各フレームを消去するかどうかを決定し、本発明の新規な方法を実行する。
【００２９】
図７はソフトウェアにおける本発明の方法の実施を示すフロー図である。発明の方法（６０で表された）は、デコーダおよびＤＳＰデータ、およびＣＲＣ、Ｙａｍａｍｏｔｏ（Ｙ）、符号誤り率（ＳＥＲ）、およびＤＴＸ距離関数に関するフレーム情報を読むステップ６２を含んでいる。ステップ６４では、ソフトウェアはフレームＧ、Ｄ、またはＥのタイプを決定するためオリジナルレート決定動作を実行する。レート決定アルゴリズムは技術においてよく知られている。例えば、Ｔ．Ｃｈｅｎに対して１９９８年５月１２日に発行されたＭｅｔｈｏｄ ａｎｄ Ａｐｐａｒａｔｕｓ ｆｏｒ Ｄｅｔｅｒｍｉｎｉｎｇ ｔｈｅ Ｒａｔｅ ｏｆ Ｒｅｃｅｉｖｅｄ Ｄａｔａ ｉｎ ａ Ｖａｒｉａｂｌｅ Ｒａｔｅ Ｃｏｍｍｕｎｉｃａｔｉｏｎｓ Ｓｙｓｔｅｍと題する米国特許５，７５１，７２５、およびＢ．Ｂｕｔｌｅｒ他に対して１９９６年６月３０日に発行されたＭｅｔｈｏｄ ａｎｄ Ａｐｐａｒａｔｕｓ ｆｏｒ Ｄｅｔｅｒｍｉｎｉｎｇ Ｄａｔａ Ｒａｔｅ ｏｆ Ｔｒａｎｓｍｉｔｔｅｄ Ｖａｒｉａｂｌｅ Ｒａｔｅ Ｄａｔａ ｉｎ ａ Ｃｏｍｍｕｎｉｃａｔｉｏｎｓ Ｒｅｃｅｉｖｅｒと題する米国特許５，７７４，４９６を参照されたい。フレームタイプは上で説明された方法、または任意の適当な方法に従って確認される。
【００３０】
次にステップ６６では、本発明のＤＴＸ指示方法が実行される。このステップへの入力はステップ６４で決定されたＧ、ＤまたはＥフレームタイプである。
【００３１】
アルゴリズムは以下のように定義されたフィルタリングを実行する：
フィルタタイプは簡単な無限インパルス応答である（ＩＩＲ）：
【数６】
Ｙ（ｎ）＝Ｙ（ｎ−１）＋Ｘ（ｎ）　　　　　　　　　　［６］
ここに、‘ｎ’はフレーム番号であり、‘Ｙ’はＤＴＸ指示であり、‘Ｘ’は入力｛Ｄ、Ｇ、またはＥ｝である。
【００３２】
新しいＳＣＨかＤＣＣＨチャンネルがモバイル局に割当てられるときはいつも、方法は以下の値をあらかじめ設定する： Ｙ（−１）＝−１； Ｄ＝＋１、Ｇ＝−３； Ｅ＝−１； ｎ＝−１。例証された実行において、デコーダにより出力されるあらゆる新しいフレームのために、以下のステップが行われる：
・フレームインデックスが増加される： ｎ＝ｎ＋１；
・ＤＴＸフレーム指示がＹ（ｎ）＝Ｙ（ｎ−１）＋Ｘ（ｎ）を使用して計算される：
・ＤＴＸフレーム指示が正および負の両側に飽和される：（Ｙ（ｎ）＞３）ならＹ（ｎ）＝３；
・ＤＴＸフレーム指示を予め決定された閾値と比較する：フレームタイプがＥおよびＹ（ｎ）＞−１なら、フレームタイプをＤに変更し、さもなければなにもしない。
【００３３】
要するに、発明の方法は複数のフレームに送信されたデータを受信し；各フレームを分類し；受信されたデータの複数の連続したフレームの分類を分析してそれに関して距離関数を提供し；フレームが不連続フレームであるかどうかを距離関数に応答して決定するステップを含む。
【００３４】
例証実施例において、分類のステップは巡回冗長検査（ＣＲＣ）誤り検査プロトコルを使用して誤りチェックのステップを含んでいる。受信されたフレームは良いフレーム（Ｇ）、消去フレーム（Ｅ）、または不連続なフレーム（Ｄ）として分類される。数値がその分類に基づいてそれぞれのフレームに割当てられる。次に、フレームは出力Ｙｎ＝Ｙｎ−１＋Ｘｎを提供するようにフィルタにかけられ、ここに‘ｎ’はフレーム番号であり、Ｙｎは与えられたフレームｎのためのフィルタ出力であり、Ｙｎ−１は前のフレームのフィルタ出力であり、Ｘｎは入力フレームの流れである。閾値は不連続フレームの検出を容易にするため出力Ｙｎについて設定される。不連続な送信フレームの検出は、フレームが‘消去’として分類されて、フィルタ出力が閾値を超えるとき指示される。不連続なフレームの検出のときにフレームの分類が‘消去’から‘不連続’ヘ変更される。不適当に分類された消去フレームを再分類することにより、モバイル受信器はフレームの再送信の要求、または送信パワーレベルの変更を禁止される。その結果、ネットワークスループットと容量が最適化され、システムパワーが保存される。
【００３５】
このようにして、本発明はここに特定の応用について特定の実施例に関して説明された。技術に普通の技能を持っている者および本教示にアクセスする者は、その範囲内で応用および実施例の追加変更を認識するであろう。例えば、本教示はＣＤＭＡタイプシステムに関して明らかにされるが、発明はこれに限定されない。本教示は、本教示の範囲から逸脱することなくＴＤＭＡやＧＳＭのような他の通信技術で利用されてもよい。
【００３６】
したがって、本発明の範囲内でそのようなあらゆる応用、変更、および実施例をカバーすることが添付請求の範囲により意図される。
【図面の簡単な説明】
【図１】
本発明の教示を取り入れている受信器の簡易化されたブロック図である。
【図２】
ＤＴＸフレームを確認するための例証方法に従ってｉｑ＿ａｃｃ＿ｆｒａｍｅｓを計算するための例証配列を示す簡易化された論理図である。
【図３】
ＤＴＸフレームを確認するための例証方法に従ってＳＣＨ＿ｗｅｉｇｈｔｅｄ＿Ｎｔ＿Ｉｏ＿ｆｒａｍｅｓを計算するための例証配列を示す簡易化された論理図である。
【図４】
ＤＴＸフレームを確認するための例証方法に従ってＦＣＨ＿ｗｅｉｇｈｔｅｄ＿Ｎｔ＿Ｉｏ＿ｆｒａｍｅを計算するための例証配列を示す簡易化された論理図である。
【図５】
本発明の方法によるマイクロプロセッサリードタイミングチャートである。
【図６】
本教示に従ってゼロフレームを検出する方法を例証するダイヤグラムである。
【図７】
ソフトウェアにおける本発明の方法の実行を示すフローチャートである。
【符号の説明】
１０…受信機
【図１】
2004503130.tif 000008
【図２】
2004503130.tif 000009
【図３】
2004503130.tif 000010
【図４】
2004503130.tif 000011
【図５】
2004503130.tif 000012
【図６】
2004503130.tif 000013
【図７】
2004503130.tif 000014
【国際公開パンフレット】
2004503130.tif 000015
2004503130.tif 000016
2004503130.tif 000017
2004503130.tif 000018
2004503130.tif 000019
2004503130.tif 000020
2004503130.tif 000021
2004503130.tif 000022
2004503130.tif 000023
2004503130.tif 000024
2004503130.tif 000025
2004503130.tif 000026
2004503130.tif 000027
2004503130.tif 000028
2004503130.tif 000029
2004503130.tif 000030
2004503130.tif 000031
2004503130.tif 000032
2004503130.tif 000033
2004503130.tif 000034
2004503130.tif 000035
【国際公開パンフレット（コレクトバージョン）】
2004503130.tif 000036
2004503130.tif 000037
【国際調査報告】
2004503130.tif 000038
2004503130.tif 000039